(57)【要約】      （修正有）【課題】容易に移動設置使用が出来る他、防犯灯、車庫の車出入り標示灯等、幅広い用途分野で、特別な専門知識を必要とせず使用が可能となり、異なる用途間での転用使用も可能となる汎用閃光発光灯の提供。【解決手段】閃光発光灯の点灯駆動回路の構成要素である、キセノンフラッシュランプ５，倍圧整流回路９、点灯起動回路１３、トリガ-回路１４等を、一端に電源接続具２を固着したプラスティックパイプ１内に収容、放電用コンデンサ-１８を外付けし、該パイプ内にポッティング樹脂を注入充填、固化し、交流電源で使用可能構造とした。【選択図】図１
0003122281.tif 000002
【実用新案登録請求の範囲】
【請求項１】
プラスティックパイプ１の一端に電源接続具２を固着し、キセノンフラッシュランプ５、倍圧整流回路９、点灯起動回路１３、トリガ-回路１４等で成るキセノンフラッシュランプ５の点灯駆動回路組立を、基板３の端子４a、４bと電源接続具２の対応電極とを電気接続した状態でプラステイックパイプ１内に収容し、プラスティックパイプ１の外部側壁に係止帯１６により固定した放電用コンデンサ-１７の両電極とプラスティックパイプ１の側壁孔から導出した陽極導出線１５，陰極導出線１６とをそれぞれ接続し、プラスティックパイプ１の開口端からポッティング樹脂を、キセノンフラッシュランプ１を除くパイプ内部に注入充填、固化せしめて成る汎用閃光発光灯。
【考案の詳細な説明】
【技術分野】
【０００１】
本考案は、キセノンフラッシュランプを用いた閃光発光灯に関するものである。
【技術背景】
【０００２】
キセノンフラッシユランプを用いた閃光発光灯は、航空標識灯、写真用或いは計測器用のストロボ等、それぞれの用途に応じ使用ランプの選定、駆動回路の設計を行って使用すると云った用法が主流でこれまで用いられてきている。
【考案の開示】
【考案が解決しようとする課題】
【０００３】
キセノンフラッシュランプはキセノンガスを封入したガラス等のパイプ容器内に、陽極、陰極の電極を設け、両電極間に放電用コンデンサ-を並列接続をして、同コンデンサ-に蓄積しておいた高圧直流電荷を、第三のトリガ-電極に数kVのトリガ-インパルスを加える事により瞬時に陽極、陰極間を導通状態にし、放電用コンデンサ-の蓄積電荷を放電せしめ閃光発光を得るものである。斯かる作動原理と数kVの高圧を扱うランプ構造の為、一般の照明灯を扱う様な汎用を旨とする用途には不向きな要素を持っていた。
【課題を解決するための手段】
【０００４】
本考案は、プラスティックパイプの一端に電球口金等の電源接続具を固着し、該パイプ内側にキセノンフラッシュランプと、該ランプを点灯駆動する為に、一般には、商用交流電源から直流を得る倍圧整流回路、点灯起動回路、トリガ-回路等を接続配線した点灯駆動回路組立を収容し、点灯駆動回路組立の交流入力端子と電源接続具間を恒久接続する。係止帯等の手段で放電用コンデンサ-を該パイプ外側に固定し、該パイプ内キセノンフラッシュランプの陽極、陰極から該パイプ側壁孔を通し外に導出した陽極導出線、陰極導出線をそれぞれ放電用コンデンサ-の対応電極と接続する。斯かる状態で該パイプ開口端からポッティング樹脂を、キセノンフラッシュランプ部を除くパイプ内部に注入充填、固化一体化する方法で課題の解決を図った。
【考案の効果】
【０００５】
上述したように、本考案の汎用閃光発光灯は、在来の照明用ランプを用いるのと全く同じ要領で商用交流電源の器具に接続して閃光発光機能が得られるものである為、工事現場、交通事故現場、建築現場等の障害物、危険物標示用として容易に移動設置使用が出来る他、防犯灯、車庫の車出入り標示灯等、幅広い用途分野で、特別な専門知識を必要とせず使用が可能となり、異なる用途間での転用使用も可能となるものである。
【考案を実施するための最良の形態】
【０００６】
プラスティックパイプの一端に電球口金を固着し、キセノンフラッシュランプと、該ランプの点灯駆動機能を果たす倍圧整流回路、点灯起動回路、トリガ-回路等を組み立て配線した点灯駆動回路組立を該パイプ内に収容し、点灯駆動回路組立の交流入力端子と電球口金の対応電極をそれぞれ恒久接続する。放電用コンデンサ-を該パイプ外側に係止帯で束線固定し、該パイプ内に配置されているキセノンフラッシュランプの陽極、陰極から該パイプ側壁に設けた側壁孔を通し導出される陽極導出線、陰極導出線と放電用コンデンサ-
の対応電極とを接続する。以上に於いて該パイプ開口端からポッティング樹脂を、キセノンフラッシュランプ部を除く該パイプ内に注入充填、固化一体化する。
【実施例】
【０００７】
以下、添付図面に従って実施例を説明する。図１に於いて１はプラスティックパイプで一端に電球口金等の電源接続具２を固着する。プラスティックパイプ１内には、図２で示す点灯駆動回路組立を収容するが、これは以下のように構成され作動をするる。
【０００８】
図２に於いて、基板３の一端に交流電源の入力となる端子４a、４bを設け、他端にはキセノンフラッシュランプ５を配置し、キセノンフラッシュランプ５の陽極６、陰極７、トリガ-電極８をそれぞれ基板３に半田固定する。基板３には更に陽極６、陰極７からの導出線として、陽極導出線１５，陰極導出線１６を設ける。端子４a,４bに入力される交流電圧を倍圧整流回路９で高圧直流電圧に変換、限流抵抗１０を経由しキセノンフラッシュランプ５の陽極６，陰極７への点灯駆動電力の供給をする。倍圧整流回路９の直流出力はまた限流抵抗１１、ツエナ-ダイオ-ド１２の直列回路を経由して、後述する電子回路により構成される点灯起動回路１３の駆動電力供給も行う。点灯起動回路１３は、LまたはHレベルの電圧を出力する電子回路で、通常矩形波発信回路等で構成される。点灯起動回路１３の出力は次段のトリガ-回路に供給されていて、点灯起動回路１３は昇圧コイル、コンデンサ-、サイリスタ-等で構成される回路で、サイリスタ-のゲ-トにHレベルの信号が入力された瞬間コンデンサ-の蓄積電荷が放電し昇圧コイルに数kVのインパルス電圧を発生するよう作動をする。このインパルス電圧をキセノンフラッシュランプ５のトリガ-電極８に加える事によりキセノンフラッシュランプ５を閃光発光せしめる。
【０００９】
プラスティックパイプ１内には、基板３の端子４a,４bが電源接続具２が固着されている側となる配置で点灯駆動回路組立を収容し、端子４a,４bをそれぞれ電源接続具２の対応電極と恒久接続する。プラスティックパイプ１の外側壁には係止帯１７により放電用コンデンサ-１８を束線固定する。更にプラスティックパイプ１の側壁に設けた２個の孔を通し陽極導出線１５，陰極導出線１６を該パイプ外に導出、それぞれ放電用コンデンサ-
１８の対応電極と接続する。上述のプラスティックパイプ１の菅側導出孔、電源接続具２固着部等の空隙部を適宜密閉シ-ルした上、プラスティックパイプ１の開口端を上にし、キセノンフラッシュランプ５を除く樹脂注入区域１９にポッティング樹脂を注入充填、固化せしめる。
【図面の簡単な説明】
【００１０】
【図１】本考案の汎用閃光発光灯の側面部分断面図である。
【図２】本考案で使用の点灯駆動回路組立の部分ブロック図である。
【符号の簡単な説明】
【００１１】
１        プラスティックパイプ
２        電源接続具
３        基板
５        キセノン  フラッシュ  ランプ
１７        放電用コンデンサ-
１８        樹脂注入域        
【図１】
0003122281.tif 000003
【図２】
0003122281.tif 000004